(57)【要約】      （修正有）【課題】道糸に対して容易に着脱できる金属製水中浮きを提供する。【解決手段】道糸１０１に対して着脱可能な金属製水中浮き１０であって、道糸が挿通された管部材２０が挿入される挿入穴１１と、挿入穴と外部とを挿入穴２１の軸線方向に対して直交する方向に連通させる割溝とを有し、挿入穴は軸線方向に沿った長さが管部材の長さよりも短く、かつ、割溝の溝幅が管部材の外径よりも小さい。金属製水中浮きは、道糸が挿通された固定用管部材３０が挿入穴から突出した管部材の端部に結合されることで挿入穴から管部材がすり抜けないように管部材と接続される。【選択図】図７
0003234634.tif 000002
【実用新案登録請求の範囲】
【請求項１】
道糸に対して着脱可能な金属製水中浮きであって、
前記道糸が挿通された管部材が挿入される挿入穴と、
前記挿入穴と外部とを前記挿入穴の軸線方向に対して直交する方向に連通させる割溝とを有し、
前記挿入穴は軸線方向に沿った長さが前記管部材の長さよりも短く、かつ、前記割溝の溝幅が前記管部材の外径よりも小さく、
前記道糸が挿通された固定用管部材が前記挿入穴から突出した前記管部材の端部に結合されることで前記挿入穴から前記管部材がすり抜けないように前記管部材と接続されることを特徴とする金属製水中浮き。
【請求項２】
前記道糸が挿通された一対の前記固定用管部材が前記挿入穴から突出された前記管部材の両端部にそれぞれ結合されることで前記挿入穴から前記管部材がすり抜けないように前記管部材と接続されることを特徴とする請求項１に記載の金属製水中浮き。
【請求項３】
前記挿入穴は、前記管部材の端部に結合された前記固定用管部材の一部が挿入されることを特徴とする請求項１または２に記載の金属製水中浮き。
【請求項４】
請求項１ないし３の何れか１項に記載の金属製水中浮きと、
前記管部材と、
前記固定用管部材と、を備えることを特徴とする金属製水中浮きの取付構造。
【請求項５】
前記固定用管部材は、一部が前記管部材の端部からはみ出した状態で前記管部材の端部に結合されることを特徴とする請求項４に記載の金属製水中浮きの取付構造。
【考案の詳細な説明】
【技術分野】
【０００１】
本考案は、着脱可能な金属製水中浮き及び取付構造に関するものである。
【背景技術】
【０００２】
釣り用具として水中浮きあるいは中錘が知られている。特許文献１には、溝部の長さ方向の両端部に一対の突起部が設けられた錘本体部と、溝部内に配置され内部に道糸が挿通される管部材と、管部材に取り付けられると共に一対の突起部に挿入される一対の固定用管部材と、を備えた中錘の取付構造が開示されている。特許文献１の中錘の取付構造では、一対の固定用管部材をそれぞれ一対の突起部から引き抜くと共に管部材から取り外し、溝部を通して中錘を管部材から離脱させることで、道糸を切ることなく中錘を着脱可能である。
【先行技術文献】
【特許文献】
【０００３】
【特許文献１】実用新案登録第３１４７４０４号公報
【考案の概要】
【考案が解決しようとする課題】
【０００４】
しかしながら、特許文献１に開示された中錘の取付構造では、一対の固定用管部材を管部材に挿入しつつ、更に錘本体部の一対の突起部にも挿入することで管部材が錘本体部に固定される構造であるために、道糸に対して中錘を着脱するのに手間取ってしまうという問題がある。
【０００５】
本考案は、上述したような問題点に鑑みてなされたものであり、道糸に対して容易に着脱できる金属製水中浮きを提供することを目的とする。
【課題を解決するための手段】
【０００６】
本考案は、道糸に対して着脱可能な金属製水中浮きであって、前記道糸が挿通された管部材が挿入される挿入穴と、前記挿入穴と外部とを前記挿入穴の軸線方向に対して直交する方向に連通させる割溝とを有し、前記挿入穴は軸線方向に沿った長さが前記管部材の長さよりも短く、かつ、前記割溝の溝幅が前記管部材の外径よりも小さく、前記道糸が挿通された固定用管部材が前記挿入穴から突出した前記管部材の端部に結合されることで前記挿入穴から前記管部材がすり抜けないように前記管部材と接続されることを特徴とする。
【考案の効果】
【０００７】
本考案によれば、道糸に対して金属製水中浮きを容易に着脱することができる。
【図面の簡単な説明】
【０００８】
【図１】本実施形態の金属製水中浮きを用いた釣り用仕掛けの一例を示す図である。
【図２】金属製水中浮きの取付構造の一例を示す図である。
【図３】金属製水中浮きの構成の一例を示す図である。
【図４】管部材の構成の一例を示す図である。
【図５】固定用管部材の構成の一例を示す図である。
【図６】金属製水中浮きを道糸に対して着脱する方法を説明するための図である。
【図７】金属製水中浮きを道糸に対して着脱する方法を説明するための図である。
【考案を実施するための形態】
【０００９】
以下、本考案に係る実施形態の金属製水中浮き（以下、水中浮きという）および水中浮きの取付構造について図面を参照して説明する。
図１は、本実施形態に係る水中浮き１０を用いた釣り用仕掛け（以下、仕掛けという）１００の一例を示す図である。
仕掛け１００は、道糸（釣り糸）１０１に浮き止め糸１０２を結び、道糸１０１を順次、シモリ玉１０３、当り浮きとしての中通し浮き１０４、水中浮き１０にそれぞれ挿通させて構成される。仕掛け１００は、いわゆる遊動仕掛けであり、中通し浮き１０４および水中浮き１０が道糸１０１に沿って所定範囲で移動可能になっている。また、道糸１０１の先端には、いわゆるサルカン１０５を介してハリス１０６が結合する。ハリス１０６の先端には釣り針１０７が設けられると共に、その途中適所にガン玉１０８が付設される。
【００１０】
図２は、水中浮きの取付構造の一例を示す図である。なお、図２を含む各図には説明を容易にするために適宜、上側を上、下側を下として図示している。
本実施形態の水中浮きの取付構造として、水中浮き１０と、管部材２０と、一対の固定用管部材３０とを備えている。管部材２０は水中浮き１０内に挿入された状態で位置し、一対の固定用管部材３０は管部材２０の両端部に結合された状態で位置する。
【００１１】
まず、水中浮き１０について説明する。
図３は、水中浮き１０の構成の一例を示す図である。図３（ａ）は水中浮き１０の平面図であり、図３（ｂ）は水中浮き１０の正面図であり、図３（ｃ）は水中浮き１０のＩ−Ｉ線断面図である。
水中浮き１０は、仕掛け１００を水中に沈ませるように機能する。水中浮き１０は、金属製であって、例えば、鉛や真鍮等の金属、非鉄金属等を用いることができる。また、水中浮き１０は、上下方向に長い長球状あるいは長楕円形状である。なお、水中浮き１０は、外周面の曲率半径が上側よりも下側の方が小さく重心が下側に偏っている形状であって、水中では下端が水底側を指向した姿勢で沈んでいく。水中浮き１０は、上下方向の長さＬａが管部材２０の後述する上下方向の長さＬｂよりも短い。
【００１２】
また、水中浮き１０は、内部に上端および下端が開口し、上下方向に沿った挿入穴１１を有する。挿入穴１１は、管部材２０が挿入される穴である。挿入穴１１の軸線方向に沿った長さは、水中浮き１０の上下方向の長さＬａと同一である。また、挿入穴１１は、内径ｄａが管部材２０の後述する外径Ｄｂよりも大きい。なお、挿入穴１１は、上端側に内径ｄａが下端側よりも大きい大径部１２が形成されている。大径部１２は、挿入穴１１の上端から所定の範囲、具体的には挿入穴１１の長さＬａの略１／３までに亘って形成されている。大径部１２は、固定用管部材３０の一部が挿入される部位である。
【００１３】
また、水中浮き１０は、挿入穴１１と、水中浮き１０の外部とを連通させる割溝１３を有する。割溝１３は、挿入穴１１と外部とを挿入穴１１の軸線方向に対して直交する方向に連通させる。割溝１３は、水中浮き１０の上端から下端まで亘っている。したがって、図３（ａ）に示すように水中浮き１０を上下方向から見ると、割溝１３は水中浮き１０の外周面から中心側に向かって掘り込まれたような溝状である。また、割溝１３の水平方向に沿った溝幅Ｗは、挿入穴１１の内径ｄａよりも小さい。また、割溝１３の水平方向に沿った溝幅Ｗは、管部材２０の外径Ｄｂよりも小さい。このように、挿入穴１１と、水中浮き１０の外部とを連通させる割溝１３を有することで、予め道糸１０１を挿入穴１１に挿通させなくても、後から道糸１０１を割溝１３を通して挿入穴１１に挿通可能である。
【００１４】
次に、管部材２０について説明する。
図４は、管部材２０の構成の一例を示す図である。図４（ａ）は管部材２０の平面図であり、図４（ｂ）は管部材２０の正面図である。
管部材２０は、道糸１０１が移動可能に挿通される。また、管部材２０は、水中浮き１０の挿入穴１１に挿入される。管部材２０は、可撓性を有する合成樹脂製であって、例えば、ポリプロピレン（ＰＰ）、アクリロニトリル・ブタジエン・スチレン共重合体（ＡＢＳ）等を用いることができる。管部材２０は、上下方向に長い管状である。管部材２０は、上下方向の長さＬｂが水中浮き１０の上下方向の長さＬａよりも長い。換言すると、管部材２０は、上下方向の長さＬｂが水中浮き１０の挿入穴１１の上下方向の長さよりも長い。また、管部材２０は、外径Ｄｂが水中浮き１０の挿入穴１１の内径ｄａよりも小さく、水中浮き１０の割溝１３の溝幅Ｗよりも大きい。このように、管部材２０の外径Ｄｂが水中浮き１０の割溝１３の溝幅Ｗよりも大きいことで、管部材２０は割溝１３を通して水中浮き１０の挿入穴１１に挿入したり逆に挿入穴１１から引き抜くことはできず、挿入穴１１の上端の開口または下端の開口を通して挿入穴１１に挿入したり挿入穴１１から引き抜いたりすることが可能である。
また、管部材２０は、内部に上下方向に沿った挿通穴２１を有する。挿通穴２１は、道糸が移動可能に挿通される。
【００１５】
次に、固定用管部材３０について説明する。
図５（ａ）は固定用管部材３０の平面図であり、図５（ｂ）は固定用管部材３０の正面図であり、図５（ｃ）は固定用管部材３０のＩＩ−ＩＩ線断面図である。
固定用管部材３０は、水中浮き１０の挿入穴１１に挿入された管部材２０のうち挿入穴１１から突出した端部に結合される。固定用管部材３０は、弾力性および伸縮性を有するゴム質材であって、例えば、エチレンプロピレンジエンゴム（ＥＰＤＭ）、シリコーン等を用いることができる。固定用管部材３０は、略管状であって、例えば、正面から見て略菱形、あるいは略円錐台形状を上下に略対称に重ね合わせたような形状である。固定用管部材３０は、上下方向の長さＬｃが、水中浮き１０の上下方向の長さＬａから管部材２０の上下方向の長さＬｂを減算して２分した長さよりも長いことが好ましい。すなわち、長さＬｃ＞（長さＬａ−長さＬｂ）／２の関係であることが好ましい。
【００１６】
また、固定用管部材３０は、最も大きい外径Ｄｃが水中浮き１０の挿入穴１１の内径ｄａよりも大きい。また、固定用管部材３０は、内部に上下方向に沿った挿通穴３１を有する。挿通穴３１は、道糸が移動可能に挿通される。また、挿通穴３１は、上端および下端の内径ｄｅが管部材２０の外径Ｄｂと略同一、あるいは管部材２０の外径Ｄｂよりも小さい。固定用管部材３０の挿通穴３１に管部材２０の端部を圧入することで、固定用管部材３０が管部材２０の端部に結合される。固定用管部材３０が管部材２０の端部に結合された状態では、固定用管部材３０の伸縮性によって挿通穴３１の内周面と管部材２０の外周面とが密着する。
【００１７】
次に、水中浮き１０を道糸１０１に取り付ける方法について図６および図７を参照して説明する。図６および図７は、道糸１０１に対して水中浮き１０を着脱する方法を説明するための断面図である。
まず、使用者は、中通し浮き１０４とサルカン１０５との間に位置するように、一対の固定用管部材３０の挿通穴３１と管部材２０の挿通穴２１とに道糸１０１を予め挿通させる。このとき、管部材２０が一対の固定用管部材３０の間に位置するように道糸１０１を順に挿通させる。
【００１８】
次に、図６（ａ）に示すように、使用者は一方側の固定用管部材３０と管部材２０との間の位置で、道糸１０１に対して水中浮き１０を離して位置させる。次に、水中浮き１０の割溝１３を通して道糸１０１を挿入穴１１に挿通させる。
【００１９】
次に、使用者は、水中浮き１０の挿入穴１１に道糸１０１を挿通させた状態を維持したまま、水中浮き１０と管部材２０とを相対的に徐々に近づける。図６（ｂ）に示すように、使用者は、水中浮き１０の挿入穴１１の一方側（図６（ｂ）では上端）の開口から管部材２０を挿入穴１１に挿入する。使用者は、水中浮き１０を管部材２０の上下方向の略中央に位置するように配置する。上述したように管部材２０の長さＬｂは水中浮き１０の長さＬａよりも長いので、管部材２０は両端部が水中浮き１０の挿入穴１１の上端の開口および下端の開口からそれぞれ突出する。
【００２０】
次に、使用者は、一対の固定用管部材３０と管部材２０とを相対的に徐々に近づける。図７に示すように、使用者は、水中浮き１０の挿入穴１１の上端の開口から突出している管部材２０の端部を上側の固定用管部材３０の挿通穴３１に圧入するように挿入し、更に水中浮き１０の挿入穴１１の下端の開口から突出している管部材２０の端部を下側の固定用管部材３０の挿通穴３１に圧入するように挿入する。したがって、一対の固定用管部材３０が管部材２０の両端部にそれぞれ結合される。上述したように、一対の固定用管部材３０はそれぞれ最も大きい外径Ｄｃが水中浮き１０の挿入穴１１の内径ｄａよりも大きい。したがって、管部材２０が水中浮き１０の挿入穴１１に沿ってすり抜けようとしても固定用管部材３０が水中浮き１０と干渉してすり抜けないようにできるので、水中浮き１０を管部材２０に対して接続することができる。管部材２０には道糸１０１が挿通されているために、水中浮き１０を管部材２０に対して接続することで、実質的に水中浮き１０を道糸１０１に対して取り付ける（装着する）ことができる。このような水中浮きの取付構造によれば、水中浮き１０が管部材２０および一対の固定用管部材３０と一体となって水中を道糸１０１に沿って沈むために、使用者の所望する速度で仕掛けを水中に沈ませることができる。
【００２１】
また、図７に示すように、上側の固定用管部材３０は、下端が水中浮き１０の挿入穴１１の大径部１２に挿入されている。このように、固定用管部材３０の一部を水中浮き１０の挿入穴１１に挿入することで、固定用管部材３０と水中浮き１０とが密着することから、管部材２０が水中浮き１０の挿入穴１１内に沿って意図せず移動してしまうことを抑制することができる。
【００２２】
また、一般的に、水中浮き１０が道糸１０１に沿って移動したときに水中浮き１０が他の部材を損傷させないように、仕掛けには水中浮き１０の上側および下側にそれぞれクッションが道糸１０１に挿通して取り付けられる。クッションは、水中浮き１０が道糸１０１に沿って移動したときに他の部材との間に介在することで、水中浮き１０が他の部材と当接するときの衝撃を吸収する。
一方、図７に示すように、本実施形態では、上側の固定用管部材３０の上端は管部材２０の上側の端部からはみ出した状態で位置し、下側の固定用管部材３０の下端が管部材２０の下側の端部からはみ出した状態で位置する。したがって、水中浮き１０が道糸１０１に沿って移動したとしても他の部材に対して弾力性がある固定用管部材３０が当接することからクッションを取り付ける必要がないために、仕掛けからクッションを省略することができる。
【００２３】
次に、使用者が異なるサイズの水中浮き１０に取り替えるために、現時点で取り付けられている水中浮き１０を道糸１０１から取り外したいとする。この場合、使用者は、上述した水中浮き１０を道糸１０１に取り付ける方法と逆の手順を行うことで、道糸１０１を切らずに水中浮き１０を取り外す（離脱する）ことができる。
ただし、使用者は、一対の固定用管部材３０の両方を管部材２０から取り外す必要はなく、一対の固定用管部材３０のうち一方の固定用管部材３０のみを管部材２０の端部から取り外してもよい。この場合、管部材２０を他方の固定用管部材３０側から水中浮き１０の挿入穴１１に沿って引き抜き、水中浮き１０の挿入穴１１から割溝１３を通して道糸１０１を引き離すことで、水中浮き１０を道糸１０１から取り外すことができる。
【００２４】
このように本実施形態の水中浮き１０は、道糸１０１が挿通された管部材２０が挿入される挿入穴１１と、挿入穴１１と外部とを挿入穴１１の軸線方向に対して直交する方向に連通させる割溝１３とを有する。挿入穴１１は軸線方向に沿った長さＬａが管部材２０の長さＬｂよりも短く、かつ、割溝１３の溝幅Ｗが管部材２０の外径Ｄｂよりも小さい。したがって、管部材２０は割溝１３を通して水中浮き１０の挿入穴１１に挿入したり挿入穴１１から引き抜いたりすることはできないことから、固定用管部材３０を管部材２０の端部に結合したり端部から取り外したりすることで、水中浮き１０を道糸１０１に対して容易に着脱することができる。
【００２５】
以上、本考案を上述した実施形態により説明したが、本考案は上述した実施形態に限定されるものではなく、本考案の範囲内で変更等が可能である。
上述した実施形態では、水中浮き１０、管部材２０、固定用管部材３０の材質、形状、大きさについて具体的に説明したが、上述した材質、形状、大きさに限定されるものではなく適宜、変更することができる。水中浮き１０は、サイズが異なる複数の種類を用意することが好ましく、この場合には何れの水中浮き１０でも挿入穴１１の内径ｄａが略同一であることが好ましく、何れの水中浮き１０でも割溝１３の溝幅Ｗが略同一であることが好ましい。
【００２６】
上述した実施形態では、管部材２０の両端部が水中浮き１０の挿入穴１１の上端の開口および下端の開口からそれぞれ突出する場合について説明したが、この場合に限られない。例えば、道糸１０１と干渉しない範囲で、挿入穴１１の一方側の開口を小径にしたり、挿入穴１１の一方側の開口にストッパを設けたりすることで、管部材２０の他方側の端部のみが水中浮き１０の挿入穴１１の他方側の開口から突出するように構成してもよい。この場合、管部材２０のうち水中浮き１０の挿入穴１１から突出する他方側の端部のみに一つの固定用管部材３０を結合すればよいので、水中浮きの取付構造の部品数を削減することができる。
【符号の説明】
【００２７】
１００：釣り用仕掛け  １０１：道糸  １０：水中浮き  １１：挿入孔  １３：割溝  ２０：管部材  ３０：固定用管部材
【図１】
0003234634.tif 000003
【図２】
0003234634.tif 000004
【図３】
0003234634.tif 000005
【図４】
0003234634.tif 000006
【図５】
0003234634.tif 000007
【図６】
0003234634.tif 000008
【図７】
0003234634.tif 000009